【事件の表示】
　特許第３３１１３２６号「液晶表示装置」の請求項１に係る特許に対する特許異議の申立てについて、次のとおり決定する。
【結　論】
　訂正を認める。
　特許第３３１１３２６号の請求項１に係る特許を維持する。
【理　由】
【1】手続の経緯
　特許第3311326号の請求項1に係る発明は、平成4年2月27日に出願された特願平4-75574号の一部を、平成11年11月22日に特許法第44条第1項の規定に基づいて新たな出願としたものであって、平成14年5月24日に設定登録がなされた。その後、大沢敏昭より特許異議申立がなされ、平成15年4月1日付け取消理由通知に対して、応答期間内である平成15年6月10日に特許異議意見書の提出と共に訂正請求がなされたものである。
　なお、平成15年6月5日付けの訂正請求が提出されたが、取消理由通知に対する応答期間内である平成15年6月10日に改めて特許異議意見書と訂正請求が提出されたため、平成15年6月5日付けの訂正請求は取り下げられたものとして取り扱う。
　
【2】訂正の適否についての判断
【2-1】訂正の要旨
　特許権者が求めている訂正の内容は、以下のとおりである。
　訂正事項a: 特許請求の範囲に係る記載を、「【請求項1】 画素電極、スイッチング素子、走査線、表示線及び第1の配向制御膜を備えた電極基板、該電極基板に対して間隔をおいて配置し、該画素電極に対して対向配置した対向電極、カラーフィルター及び第2の配向制御膜を備えた対向基板、並びに、該間隔に配置した液晶を有し、表示部と該表示部の周囲を囲んで位置させたダミー部とを有する液晶表示装置において、上記表示部が、上記電極基板に、画素電極、スイッチング素子、走査線、表示線及び第1の配向制御膜を有し、上記対向基板に、画素電極に対して対向配置した対向電極、カラーフィルター及び第2の配向制御膜を有し、上記ダミー部が、上記電極基板に、画素電極、走査線または表示線及び上記表示部の第1の配向制御膜から延長させて配置した第1の配向制御膜を有し、上記対向基板に、上記表示部の対向電極から延長して配置した対向電極とダミーカラーフィルターと上記第2の配向制御膜から延長して配置した第2の配向制御膜との積層体を有し、上記ダミー部を完全に黒色化する遮光層を有することを特徴とする液晶表示装置。」と訂正する。
　訂正事項b: 明細書の段落【0005】を「即ち本発明は、画素電極、スイッチング素子、走査線、表示線及び第1の配向制御膜を備えた電極基板、該電極基板に対して間隔をおいて配置し、該画素電極に対して対向配置した対向電極、カラーフィルター及び第2の配向制御膜を備えた対向基板、並びに、該間隔に配置した液晶を有し、表示部と該表示部の周囲を囲んで位置させたダミー部とを有する液晶表示装置において、上記表示部が、上記電極基板に、画素電極、スイッチング素子、走査線、表示線及び第1の配向制御膜を有し、上記対向基板に、画素電極に対して対向配置した対向電極、カラーフィルター及び第2の配向制御膜を有し、上記ダミー部が、上記電極基板に、画素電極、走査線または表示線及び上記表示部の第1の配向制御膜から延長させて配置した第1の配向制御膜を有し、上記対向基板に、上記表示部の対向電極から延長して配置した対向電極とダミーカラーフィルターと上記第2の配向制御膜から延長して配置した第2の配向制御膜との積層体を有し、上記ダミー部を完全に黒色化する遮光層を有することを特徴とする液晶表示装置である。」と訂正する。
　訂正事項c: 明細書の段落【0007】を「本発明において、ダミー部は表示部周囲を囲んで形成すれば良く、その広さは、走査線或いは表示線にして5本分程度が好ましい。」と訂正する。
　
【2-2】訂正の目的の適否、新規事項の有無及び拡張・変更の存否
　訂正事項a〜cの「表示部の外側に位置させたダミー部」を「表示部の周囲を囲んで(位置させたダミー部)」とする訂正は、明細書の段落【0015】、【0016】、及び図面の【図3】の記載に基づく、技術事項の限定である。また、訂正事項a〜bの「上記表示部が、上記電極基板に、画素電極、スイッチング素子、走査線、表示線及び第1の配向制御膜を有し、上記対向基板に、画素電極に対して対向配置した対向電極、カラーフィルター及び第2の配向制御膜を有し、」の加入は、明細書の段落【0013】、【0014】、及び図面の【図1】、【図2】の記載に基づき、表示部の構成を明瞭化するものである。
　よって、上記訂正は、特許請求の範囲の減縮または不明瞭な記載の釈明を目的とするものであって、願書に添付した明細書及び図面に記載した事項の範囲でする訂正であり、実質上特許請求の範囲を拡張し又は変更するものでもない。
　
【2-3】むすび
　以上のとおりであるから、上記訂正は、特許法第120条の4第2項及び同条第3項で規定する訂正について、平成6年法律第116号附則第6条第1項の規定によりなお従前の例によるとされる、改正前の特許法第126条第1項ただし書き、及び同条第2項の規定に適合するので、当該訂正を認める。
　
【3】特許異議の申立てについての判断
【3-1】本件発明
　訂正された本件の請求項1に係る発明(以下、「本件発明」という。)は、全文訂正明細書の特許請求の範囲に記載された以下のものである。
　「画素電極、スイッチング素子、走査線、表示線及び第1の配向制御膜を備えた電極基板、該電極基板に対して間隔をおいて配置し、該画素電極に対して対向配置した対向電極、カラーフィルター及び第2の配向制御膜を備えた対向基板、並びに、該間隔に配置した液晶を有し、表示部と該表示部の周囲を囲んで位置させたダミー部とを有する液晶表示装置において、上記表示部が、上記電極基板に、画素電極、スイッチング素子、走査線、表示線及び第1の配向制御膜を有し、上記対向基板に、画素電極に対して対向配置した対向電極、カラーフィルター及び第2の配向制御膜を有し、
上記ダミー部が、上記電極基板に、画素電極、走査線または表示線及び上記表示部の第1の配向制御膜から延長させて配置した第1の配向制御膜を有し
　なお、上記本件発明において、下線部の記載は、文言どうりに解釈すると、電極基板上に、(1)ダミー部が画素電極を有する場合、(2) ダミー部が走査線を有する場合、又は、(3) ダミー部が表示線及び上記表示部の第1の配向制御膜から延長させて配置した第1の配向制御膜を有する場合の内のいずれかの場合を意味することとなる。しかし、配向制御膜表面の段差に基づく配向の不均一性を解消するという本件発明の目的並びに発明の詳細な説明及び図面の記載から、上記下線の記載は、「上記ダミー部が、上記電極基板に、画素電極、走査線、表示線及び上記表示部の第1の配向制御膜から延長させて配置した第1の配向制御膜を有し」と技術常識に従って解すべきことが明らかであるので、以下、技術常識に従った本件発明の解釈により、特許異議申立の理由の妥当性を検討する。
　
【3-2】申立ての理由の概要
　特許異議申立人は、訂正前の請求項1に係る発明は、下記刊行物に記載された発明に基づいて、その出願前にその発明の属する技術の分野における通常の知識を有する者が容易に発明をすることができたものであり、特許法第2 9条第2項の規定により特許を受けることができないものであるから、取り消されるべきものである旨主張する。
　
刊行物1: 特開平2-240638号公報
刊行物2: 特開平2-157826号公報
刊行物3: 特開昭63-236009号公報
　
【3-3】刊行物の開示事項
刊行物1:特開平2-240638号公報
　刊行物1は、TFTを有するアクティブマトリックス型カラー液晶表示装置に関し、NTSC方式の信号処理が行われるとき映像信号を表示する液晶表示パネルの画像の端部分にノイズが発生する問題点を解消することを目的とすることが記載されている(2頁右上欄14行目〜左下欄15行目)。
　その目的達成の手段として、TFTを走査する走査線の終端順位付近に対応する走査線で表示駆動される画面を遮蔽膜で遮蔽することにより画像ノイズを視認不可とし、表示品位の向上を得ていることが記載されている(特許請求の範囲、3頁左上欄1〜9行目)。
　刊行物1記載のアクティブマトリックス型液晶表示装置の構成は、第1、2図に示されるように、カラー側ガラス基板2にはブラックマトリックス3、カラーフィルタ4が配列され、その上に保護膜5、対向共通電極6、配向膜が層設されている。他方、TFT側ガラス基板9にはTFT8、絵素電極、配向膜などが設けられることが記載されている(3頁左上欄13行目〜右上欄12行目)。
　第1、2図に示される遮蔽膜13は、ゲートラインとそれに接続されるTFT及び絵素電極を遮蔽するために、カラー側ガラス基板上に設けられた遮光層であり、これを形成することによってノイズを発生する画像ラインは表示画面から消失すること、遮蔽するゲートライン本数は4本以上が有効であることが記載されている(3頁左下欄12行目〜4頁左上欄5行目)。
　
刊行物2:特開平2-157826号公報
　刊行物2には、アクティブマトリックス型液晶表示装置における走査線から信号線に対するカップリングノイズを相殺し、カップリングノイズの発生を防止することが記載されている(2頁左上欄13行目〜右上欄10行目)。
　第3図に示される回路図において、ダミー走査線DGI及びDG2と、信号線D1〜Dnの交差点にはスイッチング素子であるTFTが配置され、画素電極DPXからなるダミー画素がマトリックス配置されること、ダミー走査線にも表示には用いられないダミー画素を設けた理由は、回路条件を等しくして信号線に対するカップリングノイズを生じしめるようにするためであることが記載されている(3頁左上欄18行目〜右上欄15行目)。
　ダミー走査線DG1、DG2に結合されるダミー画素が配置される部分は、適当なマスク手段が設けられダミーの無意味な表示がマスクされることが記載されている(3頁左下欄1〜5行目)。
　
刊行物3:特開昭63-236009号公報
　アクティブマトリックス型液晶表示装置の画像表示領域境界部から離れた部分の表示特性に対して、境界部分の表示特性が劣りコントラストのばらつきが生じてムラのある表示となる問題点を解消することを目的とすることが記載されている(1頁右欄1行目〜2頁左上欄6行目)。
　その目的のため、画像表示領域周辺部の画素電極を画像表示用として使用せず、電気的にフローティングにし干渉画素電極とし、実施例を示す第1図においては画像表示領域の周辺において外側から3画素分の領域を電気的にフローティングしていることが記載されている(2頁左上欄8行目〜左下欄14行目)。
　同図中には、電気的にフローティングされたデータ線2とタイミング線3にそれぞれ接続されたTFT素子4、画素電極5が記載されている。
　
【3-4】対比・判断
　本件発明は、「表示部の周囲を囲んで位置させたダミー部」及び「ダミー部が、電極基板に、画素電極、走査線、表示線及び上記表示部の第1の配向制御膜から延長させて配置した第1の配向制御膜を有し、対向基板に、上記表示部の対向電極から延長して配置した対向電極とダミーカラーフィルターと上記第2の配向制御膜から延長して配置した第2の配向制御膜との積層体を有し、上記ダミー部を完全に黒色化する遮光層を有すること」を技術事項としている。
　しかし、刊行物1,2に記載されたダミー部は、表示部の周囲を囲むように設けられたものではなく、それらは、パネルの画像の端部分にノイズが発生する問題点を解消するために画像の端部分を遮蔽するもの、又はカップリングノイズを相殺するためにダミー走査線DGI及びDG2と信号線D1〜Dnの交差点にTFT、画素電極DPXからなるダミー画素を設け、この部分をマスクするものであるから、ダミー部に相当する端部分又はダミー画素を表示部の周囲を囲むように形成しようとする動機は生じない。
　また、刊行物3には、画像表示領境界部のムラを解消するために、画像表示領域周辺部、すなわち表示部の周囲を取り囲む領域の画素電極をフローティングにする技術が示されている。しかし、配向制御膜表面の段差に基づく配向の不均一性を解消することを目的としていないため、「ダミー部が、電極基板に、画素電極、走査線、表示線及び上記表示部の第1の配向制御膜から延長させて配置した第1の配向制御膜を有し、対向基板に、上記表示部の対向電極から延長して配置した対向電極とダミーカラーフィルターと上記第2の配向制御膜から延長して配置した第2の配向制御膜との積層体を有し、上記ダミー部を完全に黒色化する遮光層を有すること」は示されていない。
　従って、本件発明のように、配向制御膜表面の段差に基づく配向の不均一性を解消することを目的として、「表示部の周囲を囲んで位置させたダミー部」を設け、「ダミー部が、電極基板に、画素電極、走査線、表示線及び上記表示部の第1の配向制御膜から延長させて配置した第1の配向制御膜を有し、対向基板に、上記表示部の対向電極から延長して配置した対向電極とダミーカラーフィルターと上記第2の配向制御膜から延長して配置した第2の配向制御膜との積層体を有し、上記ダミー部を完全に黒色化する遮光層を有すること」は、当業者といえども、刊行物1〜3の記載に基づいて容易に想到できたとは認められない。
　そして、この点により、本件の特許明細書に記載された効果を奏するものと認められる。
　よって、刊行物1〜3に記載された発明を根拠としては、本件発明が、特許法第29条第2項に違反して特許されたものということはできない。
　
【3-5】むすび
　以上のとおりであるから、特許異議申立の理由及び証拠方法によっては、本件の請求項1に係る発明の特許を取り消すことはできない。
　また、他に本件の請求項1に係る発明の特許を取り消すべき理由を発見しない。
　よって、結論のとおり決定する。
【異議決定日】
平成１５年７月３０日（２００３．７．３０）
【訂正の要旨】
審決（決定）の【理由】欄参照。
（５４）【発明の名称】
液晶表示装置
（５７）【特許請求の範囲】
　【請求項１】　画素電極、スイッチング素子、走査線、表示線及び第１の配向制御膜を備えた電極基板、該電極基板に対して間隔をおいて配置し、該画素電極に対して対向配置した対向電極、カラーフィルター及び第２の配向制御膜を備えた対向基板、並びに、該間隔に配置した液晶を有し、表示部と該表示部の
周囲を囲んで
上記表示部が、上記電極基板に、画素電極、スイッチング素子、走査線、表示線及び第１の配向制御膜を有し、上記対向基板に、画素電極に対して対向配置した対向電極、カラーフィルター及び第２の配向制御膜を有し、
上記ダミー部が、
上記対向基板に、
上記ダミー部を完全に黒色化する遮光層を有することを特徴とする液晶表示装置。
【発明の詳細な説明】
　【０００１】
　【発明の属する技術分野】
　本発明は、画像等の表示を行う液晶表示装置に関する。
　【０００２】
　【従来の技術】
　液晶表示装置に要求される特性は近年より厳しくなり、画像品質においても、通常のＣＲＴ画面と同等のレベルが要求されている。液晶表示装置においては、使用した液晶の配向性を制御することが表示画像の品質を左右する大きな要因であり、表示部のどの部分においても均一に最適な状態に配向させることが必要となる。一般には配向制御膜を液晶面に設けて該液晶の配向性を制御している。
　【０００３】
　【発明が解決しようとする課題】
　液晶の配向性は、上記配向制御膜表面に段差が有った場合、その段差部分で変化して不均一になってしまう。液晶表示装置でカラー表示を行う場合、対向電極側の基板には各画素毎に赤（Ｒ）、緑（Ｇ）、青（Ｂ）の何れかのカラーフィルターが付設されるが、端部においては隣接フィルターがないために段差を生じてしまう。
　【０００４】
　【課題を解決するための手段及び作用】
　本発明は上記問題を解決し、端部まで均一な配向性を液晶に付与し、画面全体の表示特性を均一に保った液晶表示装置である。
　【０００５】
　即ち本発明は、画素電極、スイッチング素子、走査線、表示線及び第１の配向制御膜を備えた電極基板、該電極基板に対して間隔をおいて配置し、該画素電極に対して対向配置した対向電極、カラーフィルター及び第２の配向制御膜を備えた対向基板、並びに、該間隔に配置した液晶を有し、表示部と該表示部の
周囲を囲んで
上記表示部が、上記電極基板に、画素電極、スイッチング素子、走査線、表示線及び第１の配向制御膜を有し、上記対向基板に、画素電極に対して対向配置した対向電極、カラーフィルター及び第２の配向制御膜を有し、
上記ダミー部が、
上記対向基板に、
上記ダミー部を完全に黒色化する遮光層を有することを特徴とする液晶表示装置である。
　【０００６】
　本発明においては、表示部の外側にダミー部を設けて、表示部と同じ段差の電極と、ダミーカラーフィルターと、配向制御膜とからなる積層体を設けることにより、表示部と同じ条件を施し、液晶の配向性を均一に保つ。
　【０００７】
　本発明において、ダミー部は表示部周囲
を囲んで
　【０００８】
　本発明において好ましくは、上記ダミー部は表示部と同じ構成、即ち配線、スイッチング素子、画素電極等を有するダミー画素を形成し、各画素電極は電圧が印加されないように、電気的に絶縁状態にしておく。このようにダミー画素を形成することによって同じ段差形状を構成すると、表示部の各画素の製造工程をそのまま広げれば良く、余分の工程が不要であるため製造が容易である。
　【０００９】
　また、上記電気的に絶縁状態とは、特に限定されず、製造工程に合わせて適宜選択すれば良い。例えば、スイッチング素子がトランジスタの場合、走査線及び表示線とのコンタクトを取らずにおくことで絶縁状態にできる。また、部分的に配線を断線させたり、端部において駆動回路と結線しなければそのまま絶縁状態になる。
　【００１０】
　また、ダミー部と同じ領域に遮光層を設けることによって、ダミー部を完全に黒色化して、画面の引き締めを行う。さらに、ダミー部と表示部との境界端面を遮光層の下に設け、該遮光層の開口部により表示部を規定することにより、ダミー部のアライメントが容易になり、アライメント不良による歩留低下を防止することができる。
　【００１１】
　本発明の具体的な構成は後述の実施例において詳しく説明するが、該実施例のアクティブマトリクス方式に限らず応用することができる。
　【００１２】
　【実施例】
　以下本発明を実施例により具体的に説明するが、本発明がこれらに限定されるものではない。
　【００１３】
　参考例１
　図１に本発明に用いうる電極基板（ＴＦＴ基板）を示す。図中１は表示線、２は走査線、３はＴＦＴ（薄膜トランジスタ）素子、４は画素電極、５は水平シフトレジスタ、６は垂直シフトレジスタ、７で示される行及び７’で示される列はダミー、画素８×８’で示される部分が表示部である。各ダミー画素はＴＦＴ素子３のゲート或いはソースと走査線２或いは表示線１とのコンタクトを取らずに電気的に絶縁状態に置かれている。本参考例は、スイッチング素子にＴＦＴを用い、表示線及び走査線各３本ずつをダミー画素とした例である。
　【００１４】
　参考例２
　図２に本発明第２の参考例を示す。図２は本参考例の装置の端部である。図中２１はＴＦＴ基板、２２〜２２”は絶縁層、２３、２３’は配向制御膜、２４は液晶、２５は封止材、２６は対向電極、２７はカラーフィルター、２８は偏光板、２９は見切り板である。
　【００１５】
　本図において、右３個分の画素電極４がダミー画素で各画素電極に接続されたＴＦＴ素子（不図示）は走査線及び表示線とコンタクトを取っているが、該走査線或いは表示線を駆動回路と接続せずにダミー画素のみ電気的に絶縁状態に置いている。一方、これに対応する右３個分のカラーフィルター２７がダミーカラーフィルターである。このように、表示部の周囲をダミー部で囲むことにより画面端部においても中心部と同様の配向性が得られる。
　【００１６】
　実施例１
　図３に本発明の実施例を示す。本実施例は、参考例２の構成にさらに遮光層を加えたもので、その領域は図３に示す通り、遮光層３１がダミー部３２よりも広く、その開口部をもって表示部３３が形成されている。ダミー部の絶縁状態は参考例２と同様である。この構成により、画面の周囲が完全な黒色で囲まれ、より引き締まった画像が表示される。
　【００１７】
　【発明の効果】
　以上説明したように、本発明の液晶表示装置は、表示部の周囲にダミー部を形成したことにより、液晶の配向性が画面端部まで均一に制御され、高品質の画像を画面全面にむらなく表示することができる。
【図面の簡単な説明】
　【図１】
　本発明の第１の参考例を示す図である。
　【図２】
　本発明の第２の参考例を示す図である。
　【図３】
　本発明の実施例を示す図である。
　【符号の説明】
　１　表示線
　２　走査線
　３　ＴＦＴ素子
　４　画素電極
　５　水平シフトレジスタ
　６　垂直シフトレジスタ
　７、７’　ダミー画素
　８、８’　表示部
　２１　ＴＦＴ基板
　２２〜２２”　絶縁層
　２３、２３’　配向制御膜
　２４　液晶
　２５　封止材
　２６　対向電極
　２７　カラーフィルター
　２８、２８’　偏光板
　２９　見切り板
　３１　遮光層
　３２　ダミー部
　３３　表示部